(57)【要約】      （修正有）【課題】雨傘用貯水酒器状スタンドを提供する。【解決手段】逆円錐台形の中空構造１１とホーン形構造１２を有する一体成形された台座を含み、逆円錐台形の中空構造の底部外壁とホーン形構造の内壁との間に３本の第１連結リブが均等に設置される。逆円錐台形の中空構造の内部に円周方向に沿って３つの第１固定ブロック１１１及び３つの第３固定ブロック１１４が均等に設置される。各第１固定ブロックの内壁に第２固定ブロック１１３が設置され、各第１固定ブロックの上部内壁はこれに対応する第２固定ブロックの最上面と載置台を構成する。各第２固定ブロックの上部内壁はこれに対応する第３固定ブロックの最上面と載置台を構成する。３つの第３固定ブロックの内壁は逆円錐台形の中空構造の底面と物入れスペースを構成し、室内の床の上に直接置き、雨傘を挿し込んで使用でき、同時に傘の先端が細い、又は太い等の様々な形状の先端に対応する。【選択図】図１
0003225637.tif 000002
【実用新案登録請求の範囲】
【請求項１】
雨傘用貯水酒器状スタンドであって、
逆円錐台形の中空構造（１１）とホーン形構造（１２）を有する一体成形された台座（１）を含み、逆円錐台形の中空構造（１１）の底部外壁とホーン形構造（１２）の内壁との間に３本の第１連結リブ（１３）が均等に設置され、逆円錐台形の中空構造（１１）の内部に円周方向に沿って３つの第１固定ブロック（１１１）が均等に設置され、各第１固定ブロック（１１１）と逆円錐台形の中空構造（１１）の内壁との間に第２連結リブ（１１２）が設置され、各第１固定ブロック（１１１）の内壁はいずれも円弧状であり、各第１固定ブロック（１１１）の内壁に第２固定ブロック（１１３）が設置され、各第２固定ブロック（１１３）の内壁はいずれも円弧状であり、各第１固定ブロック（１１１）の上部内壁はこれに対応する第２固定ブロック（１１３）の最上面と載置台を構成し、逆円錐台形の中空構造（１１）の内部に円周方向に沿って更に３つの第３固定ブロック（１１４）が均等に設置され、各第２固定ブロック（１１３）の上部内壁はこれに対応する第３固定ブロック（１１４）の最上面と載置台を構成し、各第３固定ブロック（１１４）の内壁はいずれも円弧状であり、３つの第３固定ブロック（１１４）の内壁は逆円錐台形の中空構造（１１）の底面と載置スペースを構成する、ことを特徴とする雨傘用貯水酒器状スタンド。
【請求項２】
前記第２固定ブロック（１１３）の高さは第１固定ブロック（１１１）の高さより低く且つ第３固定ブロック（１１４）の高さより高い、ことを特徴とする請求項１に記載の雨傘用貯水酒器状スタンド。
【請求項３】
前記第１固定ブロック（１１１）が位置する円周の直径は第２固定ブロック（１１３）が位置する円周の直径より大きく、第２固定ブロック（１１３）が位置する円周の直径は第３固定ブロック（１１４）が位置する円周の直径より大きい、ことを特徴とする請求項１に記載の雨傘用貯水酒器状スタンド。
【考案の詳細な説明】
【技術分野】
【０００１】
本考案は、傘分野に関し、特に雨傘用貯水酒器状スタンドに関する。
【背景技術】
【０００２】
雨の日に雨傘を使用すると、傘地の上に雨水がたまり、収納時に傘地に沿って床に落ち、床が雨水で汚れたり破損したりするが、雨傘を収納する専用ツールがないため、多くの家ではたらいに傘を直接収納しており、使いにくく、見た目もよくない。
【考案の概要】
【考案が解決しようとする課題】
【０００３】
上記課題を解決するために、本考案は、室内の床の上に直接置き、雨傘を挿し込んで使用することで、雨水が床に散乱しないようにすることができ、同時に傘の先端が細い、又は太い等の様々な形状の先端に対応する雨傘用貯水酒器状スタンドを提供する。
【課題を解決するための手段】
【０００４】
上記目的を達成するために、本考案は以下の技術手段を採用する。
【０００５】
逆円錐台形の中空構造とホーン形構造ホーン形構造を有する一体成形された台座を含み、逆円錐台形の中空構造の底部外壁とホーン形構造の内壁との間に３本の第１連結リブが均等に設置され、逆円錐台形の中空構造の内部に円周方向に沿って３つの第１固定ブロックが均等に設置され、各第１固定ブロックと逆円錐台形の中空構造の内壁との間に第２連結リブが設置され、各第１固定ブロックの内壁はいずれも円弧状であり、各第１固定ブロックの内壁に第２固定ブロックが設置され、各第２固定ブロックの内壁はいずれも円弧状であり、各第１固定ブロックの上部内壁はこれに対応する第２固定ブロックの最上面と載置台を構成し、逆円錐台形の中空構造の内部に円周方向に沿って更に３つの第３固定ブロックが均等に設置され、各第２固定ブロックの上部内壁はこれに対応する第３固定ブロックの最上面と載置台を構成し、各第３固定ブロックの内壁はいずれも円弧状であり、３つの第３固定ブロックの内壁は逆円錐台形の中空構造の底面と載置スペースを構成する雨傘用貯水酒器状スタンドである。
【０００６】
更に、第２固定ブロックの高さは第１固定ブロックの高さより低く且つ第３固定ブロックの高さより高い。
【０００７】
更に、第１固定ブロックが位置する円周の直径は第２固定ブロックが位置する円周の直径より大きく、第２固定ブロックが位置する円周の直径は第３固定ブロックが位置する円周の直径より大きい。
【考案の効果】
【０００８】
１、本考案によれば、台座のホーン形構造を介して、台座は室内の床に安定して設置しやすくなる。同時に第１連結リブによって、台座底部の支持強度を向上することができる。
【０００９】
２、本考案によれば、第１固定ブロックの上部内壁とこれに対応する第２固定ブロックの最上面から構成された載置台を介して、先端の径が大きい円筒状の雨傘を挿し込みやすくなり、雨水は隙間から流入する。
３、本考案によれば、第２固定ブロックの上部内壁とこれに対応する第３固定ブロックの最上面から構成された載置台を介して、先端の径が小さい円筒状の雨傘も挿し込みやすくなり、雨水は隙間から流入する。
【００１０】
４、本考案によれば、３つの第３固定ブロックの内壁と逆円錐台形の中空構造の底面から構成された戴置ペースを介して、先端が尖った形状の雨傘を挿し込みやすくなり、雨水は隙間から流入する。
【００１１】
５、本考案によれば、第２連結リブは台座内部の支持強度を向上させることができる。
【図面の簡単な説明】
【００１２】
【図１】本考案の雨傘用貯水酒器状スタンドの斜視図である。
【図２】本考案の雨傘用貯水酒器状スタンドの正面図である。
【図３】本考案の雨傘用貯水酒器状スタンドの底面図である。
【図４】本考案の雨傘用貯水酒器状スタンドの平面図である。
【考案を実施するための形態】
【００１３】
以下、図面及び実施例を参照しながら、本考案について詳しく説明する。
【００１４】
図１〜図４に示すように、本考案は、雨傘用貯水酒器状スタンドを提供する。図２に示すように、それは、逆円錐台形の中空構造１１とホーン形構造１２を有する一体成形された台座１を含む。図３に示すように、逆円錐台形の中空構造１１の底部外壁とホーン形構造１２の内壁との間に３本の第１連結リブ１３が均等に設置される。図１、図４に示すように、逆円錐台形の中空構造１１の内部に円周方向に沿って３つの第１固定ブロック１１１が均等に設置される。各第１固定ブロック１１１と逆円錐台形の中空構造１１の内壁との間に第２連結リブ１１２が設置される。各第１固定ブロック１１１の内壁はいずれも円弧状であり、各第１固定ブロック１１１の内壁に第２固定ブロック１１３が設置される。各第２固定ブロック１１３の内壁はいずれも円弧状であり、各第１固定ブロック１１１の上部内壁はこれに対応する第２固定ブロック１１３の最上面と載置台を構成する。逆円錐台形の中空構造１１の内部には円周方向に沿って更に３つの第３固定ブロック１１４が均等に設置される。各第２固定ブロック１１３の上部内壁はこれに対応する第３固定ブロック１１４の最上面と載置台を構成する。各第３固定ブロック１１４の内壁はいずれも円弧状であり、３つの第３固定ブロック１１４の内壁は逆円錐台形の中空構造１１の底面と載置スペースを構成する。
【００１５】
図４に示すように、第２固定ブロック１１３の高さは第１固定ブロック１１１の高さより低く且つ３固定ブロック１１４の高さより高い。
【００１６】
図４に示すように、第１固定ブロック１１１が位置する円周の直径は第２固定ブロック１１３が位置する円周の直径より大きい。第２固定ブロック１１３が位置する円周の直径は第３固定ブロック１１４が位置する円周の直径より大きい。
【００１７】
本考案においては、台座１のホーン形構造によって、台座１は室内の床に安定して設置しやすくなる。同時に第１連結リブ１３によって、台座１の底部の支持強度を向上することができる。
【００１８】
本考案においては、第１固定ブロック１１１の上部内壁とこれに対応する第２固定ブロック１１３の最上面から構成された載置台によって、先端の径が大きい円筒状（先端が太い）の雨傘を挿し込みやすくなり、雨水は隙間から流入する。
【００１９】
本考案においては、第２固定ブロック１１３の上部内壁とこれに対応する第２固定ブロック１１３の最上面から構成された載置台によって、先端の径が小さい円筒状（先端が細い）の雨傘を挿し込みやすくなり、雨水は隙間から流入する。
【００２０】
本考案においては、３つの第３固定ブロック１１３の内壁と逆円錐台形の中空構造１１の底面から構成された戴置スペースによって、先端が尖った形状（先端が先細り）の雨傘を挿し込みやすくなり、雨水は隙間から流入する。
【００２１】
本考案においては、第２連結リブ１１２は台座１の内部の支持強度を向上させることができる。
【００２２】
本考案の保護範囲の制限について、当業者であれば、本考案を基礎として、創造的な労力を要することなくなされる各種の修正又は変形はいずれも本考案の保護範囲に属することを理解すべきである。
【符号の説明】
【００２３】
１  台座、１１  逆円錐台形の中空構造、１２  ホーン形構造、１３  第１連結リブ、１１１  第１固定ブロック、１１２  第２連結リブ、１１３  第２固定ブロック、１１４  第３固定ブロック。
【図１】
0003225637.tif 000003
【図２】
0003225637.tif 000004
【図３】
0003225637.tif 000005
【図４】
0003225637.tif 000006